(57)【特許請求の範囲】
【請求項１】
液晶ディスプレイ等の表示画面を備えた防災表示装置に於いて、
建物の各階を斜め上方から見下ろした前記各階毎の俯瞰地図及び前記各階に設置された防災端末機器のシンボルマークを含む地図データを格納したデータベースと、
基準階、前記基準階の直上階及び直下階の地図データを前記データベースから読出し、前記読出した俯瞰地図に前記シンボルマークを配置して階順に縦に並べた三階層の俯瞰地図を前記表示画面上に表示する表示制御部と、
を設け、
前記表示制御部は、火災等の異常発生時に、異常が発生した異常階を前記基準階に設定し、前記異常を検出した防災端末機器を示すシンボルマークを変化させると共に、前記異常を検出した防災端末機器を含む異常発生区域を識別表示させることを特徴とする防災表示装置。
【請求項２】
請求項１記載の防災表示装置に於いて、前記表示制御部は、前記異常発生時に、前記三階層の俯瞰地図の直上階及び直下階のそれぞれに、前記異常発生区域に対応する異常発生対応区域を識別表示させることを特徴とする防災表示装置。
【請求項３】
請求項２記載の防災表示装置に於いて、前記表示制御部は、前記異常発生区域を示す枠線及び前記異常発生対応区域を示す枠線を色変化により識別表示させることを特徴とする防災表示装置。
【請求項４】
請求項１記載の防災表示装置に於いて、前記表示制御部は、前記三階層の俯瞰地図を階層毎に異なる縮尺で表示することを特徴とする防災表示装置。
【請求項５】
請求項４記載の防災表示装置に於いて、前記表示制御部は、前記基準階、直上階及び直下階の床面積が異なる場合、前記三階層の俯瞰地図の床面積の少ない階を他の階に対し拡大して表示することを特徴とする防災表示装置。
【請求項６】
請求項４記載の防災表示装置に於いて、前記表示制御部は、前記三階層の俯瞰地図に表示する前記防災端末機器のシンボルマークを俯瞰表示とせずに平面表示としたことを特徴とする防災表示装置。
【請求項７】
請求項１記載の防災表示装置に於いて、前記表示制御部は、前記三階層の俯瞰地図を操作入力に応じて斜め上方から見下ろす俯瞰角度を変化させて表示することを特徴とする防災表示装置。
【請求項８】
液晶ディスプレイ等の表示画面を備えた防災表示装置の表示制御方法に於いて、
建物の各階を斜め上方から見下ろした前記各階毎の俯瞰地図及び前記各階に設置された防災端末機器のシンボルマークを含む地図データをデータベースに格納するステップと、
基準階、前記基準階の直上階及び直下階の地図データを前記データベースから読出し、前記読出した俯瞰地図に前記シンボルマークを配置して階順に縦に並べた三階層の俯瞰地図を前記表示画面上に表示する表示制御ステップと、
を設け、
前記表示制御ステップは、火災等の異常発生時に、異常が発生した異常階を前記基準階に設定し、前記異常を検出した防災端末機器を示すシンボルマークを変化させると共に、前記異常を検出した防災端末機器を含む異常発生区域を識別表示させることを特徴とする防災表示装置の表示制御方法。
【請求項９】
請求項８記載の防災表示装置の表示制御方法に於いて、前記表示制御ステップは、前記異常発生時に、前記三階層の俯瞰地図の直上階及び直下階のそれぞれに、前記異常発生区域に対応する異常災発生対応区域を識別表示させることを特徴とする防災表示装置の表示制御方法。
【請求項１０】
請求項８記載の防災表示装置の表示制御方法に於いて、前記表示制御ステップは、前記異常階、直上階及び直下階の床面積が異なる場合、前記三階層の俯瞰地図の床面積の少ない階を他の階に対し拡大して表示することを特徴とする防災表示装置の表示制御方法。
【発明の詳細な説明】
【技術分野】
【０００１】
本発明は、火災信号等の防災情報を受けて表示画面上に異常発生階、直上階及び直下階の地図を表示する防災表示装置及び表示制御方法に関する。
【背景技術】
【０００２】
従来、この種の防災表示装置は、防災受信機からの火災検出情報の入力に基づく火災発生時に、液晶ディスプレイ等の表示画面上に、火災感知器やガス漏れ警報器などの各種防災端末をシンボル表示した出火階の平面地図、その直上階の平面地図、及びその直下階の平面地図を表示し、同時に、火災を検出した火災感知器を示すシンボルマークを監視時の青色から赤色に変化させて点灯又は点滅表示している。
【０００３】
図１４は従来の防災表示装置の表示画面であり、画面を４分割し、例えば火災発生区域２０８を示した出火階となる１階平面地図２０２、直上階となる２階平面地図２０４、及び直下階となるＢ１階平面地図２０６をまとめて表示している。
【発明の開示】
【発明が解決しようとする課題】
【０００４】
しかしながら、このような従来の防災表示装置にあっては、出火階、直上階及び直下階の各平面地図を、画面上の表示可能面積の都合から、図１４のように画面の左右及び上下に振り分けて表示しており、出火階の実際に火災が発生した場所に対応する直上階や直下階の位置を、画面上で特定しづらいという問題がある。
【０００５】
また画面を縦横４分割としてその内の３つに出火階、直上階及び直下階の各平面地図を配置しているため、分割した領域の１つが空きスペースとして残り、その分、平面地図の表示面積が小さくなり、地図が見分けにくいという問題がある。
【０００６】
本発明は、表示画面上で出火階、直上階及び直下階の地図を分かり易いように表示する防災表示装置及び表示制御方法を提供することを目的とする。
【課題を解決するための手段】
【０００７】
本発明は防災表示装置を提供する。即ち、本発明は液晶ディスプレイ等の表示画面を備えた防災表示装置に於いて、
建物の各階を斜め上方から見下ろした前記各階毎の俯瞰地図及び前記各階に設置された防災端末機器のシンボルマークを含む地図データを格納したデータベースと、
基準階、基準階の直上階及び直下階の地図データを前記データベースから読出し、読出した俯瞰地図にシンボルマークを配置して階順に縦に並べた三階層の俯瞰地図を表示画面上に表示する表示制御部と、
を設け、
表示制御部は、火災等の異常発生時に、異常が発生した異常階を基準階に設定し、異常を検出した防災端末機器を示すシンボルマークを変化させると共に、異常を検出した防災端末機器を含む異常発生区域を識別表示させることを特徴とする。
【０００８】
ここで、表示制御部は、異常発生時に、三階層の俯瞰地図の直上階及び直下階のそれぞれに、異常発生区域に対応する異常発生対応区域を識別表示させる。
【０００９】
表示制御部は、異常発生区域を示す枠線及び異常発生対応区域を示す枠線を色変化により識別表示させる。
【００１０】
表示制御部は、三階層の俯瞰地図を階層毎に異なる縮尺で表示する。
【００１１】
表示制御部は、基準階、直上階及び直下階の床面積が異なる場合、三階層の俯瞰地図の床面積の少ない階を他の階に対し拡大して表示する。
【００１２】
表示制御部は、三階層の俯瞰地図に表示する防災端末機器のシンボルマークを俯瞰表示とせずに平面表示とする。
【００１３】
表示制御部は、三階層の俯瞰地図を操作入力に応じて斜め上方から見下ろす俯瞰角度を変化させて表示する。
【００１４】
本発明は防災表示装置の表示制御方法を提供する。即ち、本発明は、液晶ディスプレイ等の表示画面を備えた防災表示装置の表示制御方法に於いて、
建物の各階を斜め上方から見下ろした各階毎の俯瞰地図及び各階に設置された防災端末機器のシンボルマークを含む地図データをデータベースに格納するステップと、
基準階、基準階の直上階及び直下階の地図データをデータベースから読出し、読出した俯瞰地図にシンボルマークを配置して階順に縦に並べた三階層の俯瞰地図を表示画面上に表示制御ステップと、
を設け、
表示制御ステップは、火災等の異常発生時に、異常が発生した異常階を基準階に設定し、異常を検出した防災端末機器を示すシンボルマークを変化させると共に、異常を検出した防災端末機器を含む異常発生区域を識別表示させることを特徴とする防災表示装置の表示制御方法。
【００１５】
表示制御ステップは、異常発生時に、三階層の俯瞰地図の直上階及び直下階のそれぞれに、異常発生区域に対応する異常災発生対応区域を識別表示させる。
【００１６】
表示制御ステップは、異常階、直上階及び直下階の床面積が異なる場合、三階層の俯瞰地図の床面積の少ない階を他の階に対し拡大して表示する。
【発明の効果】
【００１７】
本発明によれば、異常発生時に、基準階となる異常階、直上階、及び直下階の斜め上方から見下ろした俯瞰地図が表示画面上に階順に縦に並べて表示されるため、出火階の火災発生場所に対応した直上階及び直下階の位置を簡単且つ用意に把握することができ、直上階や直下階に対する避難誘導や火災などの拡大に対する適切な対処指示が適確にできる。
【００１８】
また異常階の異常発生区域を識別できる枠線で表示すると同時に対応する直上階及び直下階の対応する異常発生対応区域でも識別表示するようにしたため、異常階の異常発生場所に対応した直上階及び直下階の位置を更に簡単且つ容易に把握できる。
【００１９】
また異常階、直上階、及び直下階の床面積が異なる場合には、床面積の少ない階についてはその俯瞰地図を拡大表示することで、表示画面を有効に利用して俯瞰地図を見やすくできる。
【００２０】
特に、異常階、直上階、及び直下階のうち特定の階を拡大表示とした場合、階の異常発生区域に対応する直上階及び直下階の対応する異常発生対応区域も識別表示するため、各階の縮尺が相違しても、対応関係を簡単且つ容易に把握できる。
【００２１】
また俯瞰地図に表示している火災感知器などの防災端末のシンボルマークについては、斜め表示とせずに平面表示とすることで、シンボルマークを見易さを損なわないようにしている。
【００２２】
更に、画面キーなどの操作入力に応じて斜め上方から見下ろす俯瞰する角度を変化させた異常階、直上階、及び直下階の俯瞰地図を表示させることで、適宜の分かりやすい位置から見下ろした俯瞰地図を動的に表示して位置の把握を行い易くできる。
【発明を実施するための最良の形態】
【００２３】
図１は防災監視システムと共に本発明による防災表示装置の実施形態を示したブロック図である。図１において、防災受信盤１０からは監視対象とする建物の各階などの警戒区域に向けて伝送路１１が引き出され、伝送路１１に各種の防災端末機器を接続している。
【００２４】
この例では伝送路１１に各種センサとして、中継器１４を介してアナログ煙感知器１６を接続し、また中継器機能を備えたアナログ煙感知器２０、中継器機能を備えたアナログ熱感知器２２、更に伝送路１１に対し光電式分離型煙感知器２４を接続している。光電式分離型煙感知器２４は発光部２４ａと受光部２４ｂで構成され、両者の間の空間に発光部２４ａからの光を照射し、煙により減衰した光を受光部２４ｂで検出し、火災を判断する。
【００２５】
また伝送路には各種防災制御機器として、中継器１４を介して防排煙ダンパ１７、地区音響警報装置１８及び防火戸２１を閉鎖作動させるラッチレリーズ１９を接続している。
【００２６】
防災受信盤１０に対しては本実施形態の防災表示装置１２が設けられる。防災表示装置１２はコントローラ２６を有し、コントローラ２６に対し液晶ディスプレイ２８、キーボート３０、マウス３２、プリンタ３４、建物内を監視するＩＴＶカメラ３６、更に火災警報などの音声警報出力を行うスピーカ３８を設けている。
【００２７】
防災表示装置１２のコントローラ２６には、データベース４２が設けられると共に、コンピュータによるプログラム実行により実現される機能として表示制御部４０の機能が設けられている。
【００２８】
防災表示装置１２のコントローラ２６は図２に示すハードウェア構成を備えている。図２のコントローラ２６はＣＰＵ４６を備え、ＣＰＵ４６のバス４８に対しＲＡＭ５０、ＲＯＭ５２、シリアルインタフェース５４、ハードディスクドライブ５６を接続し、シリアルインタフェース５４に対しては防災受信盤１０が接続されている。
【００２９】
またコントローラ２６の外部に設けている液晶ディスプレイ２８、キーボード３０、マウス３２、プリンタ３４、ＩＴＶカメラ３６及びスピーカ３８についてはそれぞれ専用のインタフェース５８、６０、６２、６４、６６、６８を介してＣＰＵ４６のバス４８に接続している。このように防災表示装置のコントローラ２６はコンピュータのハードウェア環境として実現されている。
【００３０】
再び図１を参照するに、データベース４２には防災受信盤１０の監視対象となる警戒区域の建物における階別の地図データ、及び防災端末としての各種センサと防災制御機器の設置場所を示すシンボルデータが登録され、管理されている。特に本実施形態にあっては、建物の階別の地図データとして、平面地図に加え、建物の各階を斜め上方から見下ろした俯瞰地図のデータがデータベース４２に登録され、管理されている。
【００３１】
表示制御部４０は、防災受信盤１０から火災検出情報を受信した火災発生時に、出火階の俯瞰地図、出火階の直上の俯瞰地図及び出火階の直下階の俯瞰地図をデータベース４２から読み出して、液晶ディスプレイ２８の表示画面上に階順に縦に並べて表示する。
【００３２】
このとき出火階、直上階及び直下階の各俯瞰地図には、火災感知器及び防災制御機器のシンボルマークが同時に表示される。ここで表示制御部４０は、俯瞰地図上に表示する火災感知器や防災制御機器のシンボルマークについては、俯瞰地図と合わせて斜めにすると細くなってシンボルが見づらくなるため、斜め表示とはせずに、平面表示とすることで、明瞭に認識できるようにしている。
【００３３】
また表示制御部４０は、出火階、直上階及び直下階の俯瞰地図の表示の際に、出火階の俯瞰地図の中の火災を検出した火災感知器を示すシンボルマーク（感知器シンボル）を監視時の青色から赤色に変化させて点滅させると共に、火災を検知した感知器を含む所定の火災発生区域を識別するため、火災発生区域を表わす例えば赤色枠線を表示して点滅表示させる。
【００３４】
更に表示制御部４０は、出火階における火災発生区域に対応する直上階及び直下階の俯瞰地図のそれぞれに、火災発生対応区域を例えば橙色枠線の点滅により表示させる。
【００３５】
なお、この俯瞰地図の表示は、火災発生時に限らず、ガス漏れなどの異常時にも表示することができる。また、平常時において、ある階を基準階として、その直上階と直下階を同時に表示することもできる。以下、火災発生時を例として説明する。火災時は出火階が基準階となる。
【００３６】
図３は本実施形態による火災発生時の表示画面を示した説明図である。図３において、液晶ディスプレイ２８における表示画面７０は、火災発生時に中央に出火階の俯瞰地図７２が表示され、その上に直上階の俯瞰地図７４が表示され、更にその下に直下階の俯瞰地図７６が表示される。俯瞰地図７２，７４，７６のそれぞれは、各階を斜め上方から見下ろした３次元的な地図となっている。
【００３７】
出火階の俯瞰地図７２には火災発生区域８４が表示される。火災発生区域８４の表示は、後の説明で明らかにするように、火災を検出した感知器シンボルを通常の青色から赤色に点滅表示すると共に、火災感知器に対応した火災発生区域８４を囲む赤色枠線を点滅表示させる。
【００３８】
出火階の俯瞰地図７２の火災発生区域８４に対応して、直上階の俯瞰地図７４には火災発生対応区域８６が表示され、更に直下階の俯瞰地図７６についても火災発生対応区域８８が表示される。
【００３９】
火災発生対応区域８６，８８の表示方法としては、後の説明で明らかにするように、火災発生対応区域を囲む枠線を例えば橙色の枠線として点滅表示させる。
【００４０】
このような火災発生時における出火階、直上階及び直下階のそれぞれの俯瞰地図７２，７４，７６を階順に縦に並べて表示画面７０に表示し、同時に火災発生区域８４及び火災発生対応区域８６，８８を表示することで、火災発生場所に対する直上階及び直下階の対応する位置を簡単且つ容易に把握することができる。
【００４１】
また火災発生場所及び建物の位置の把握については、建物の階を斜め上方から見下ろした俯瞰地図７２，７４，７６として表示されており、３次元的な地図表示であることから、画面上においてそれぞれの位置が立体的に見られることで、より適切に対応位置関係を知ることができる。
【００４２】
表示画面７０の右側には、メニュー欄として前画面キー７８、次画面キー８０及び３Ｄ画面キー８２が配置されている。火災発生時には、自動的に図３に示すような出火階、直上階及び直下階の俯瞰地図７２，７４，７６が自動的に画面表示されるものであるが、この状態で前画面キー７８を操作すると、例えば直下階７６を中央に配置する１階分、下にずれた３階分の俯瞰地図の表示に切り替わる。
【００４３】
また次画面キー８０を操作すると、直上階の俯瞰地図７４が中央に移動した１階分、下にずらした３階分の俯瞰地図の表示に切り替わる。
【００４４】
更に３Ｄ画面キー８２は、通常の平面地図の表示状態でキー操作すると、図１４に示すようなキー操作前に表示している平面地図を、３階分の俯瞰地図の画面に切り替えることができる。
【００４５】
また、出火階のみの平面地図と俯瞰地図の切替表示、もしくは、出火階のみの表示と図３の分割画面との切替表示も行うことができる。
【００４６】
図４は本実施形態による地図データファイルから３階分の俯瞰地図を生成して表示する画像表示処理を示した説明図である。
【００４７】
図４において、例えば俯瞰地図の表示に使用される３階分の地図データファイル９０−１〜９０−３は、図１の防災表示装置１２に設けたコントローラ２６のデータベース４２に格納されており、例えば建物の階別に２次元ＣＡＤデータとして作成され、登録されている。
【００４８】
地図データファイル９０−１を例にとると、ヘッダ９２、地図データ９４及びシンボルデータ群９６で構成されている。ヘッダ９２には警戒区域の建物と階などを特定する識別子が格納される。地図データ９４は監視対象となる建物のレイアウトを階別に作成した２次元ＣＡＤデータであり、本実施形態にあっては平面地図データと俯瞰地図データをそれぞれ階ごとに作成して登録している。
【００４９】
シンボルデータ群９６には、図１の防災監視システムに設置している火災感知器を含む各種センサ及び防排煙ダンパなどの各種防災制御機器のシンボルデータが格納されている。
【００５０】
シンボルデータのそれぞれは、例えばシンボル識別子を含むシンボル名、地図の座標位置、シンボル図形データ、通常時（監視時）の表示色、火災時または作動時の表示色といった情報が格納されている。
【００５１】
図３のように、表示画面７０に出火階、直上階、直下階の俯瞰地図を表示する場合には、例えば火災発生に対応して図２のハードディスクドライブ５６のデータベース４２から、出火階、直上階及び直下階の地図データファイル９０−１〜９０−３をＲＡＭ５０に読み出し、ＲＡＭ５０上で図４のような画像表示のための画像データを生成する。
【００５２】
この画像データの生成処理は、出火階の地図データファイル９０−１から地図データ９４として俯瞰地図データを読み出し、レイアウトレイヤ９８に俯瞰地図を配置する。またシンボルデータ群９６からすべてのシンボル９６−１〜９６−ｎを読み出し、シンボルレイヤ１００に配置する。
【００５３】
このとき、感知器シンボルについては監視時のシンボル色である青色で設定するが、火災を検出した感知器シンボルについては、表示色を監視時の青色から赤色に変化させ、且つ赤色を点滅させる。この感知器シンボルの制御はシンボル制御処理１０４により行われる。
【００５４】
続いてレイアウトレイヤ９８とシンボルレイヤ１００を重ね合わせた合成レイヤ１０２を生成し、ここに出火階俯瞰地図画像７２を生成する。以下同様に、直上階の地図データファイル９０−２及び直下階の地図データファイル９０−３についても、レイアウトレイヤ９８及びシンボルレイヤ１００を使用して合成レイヤ１０２上に直上階俯瞰地図画像７４及び直下階俯瞰地図画像７６を生成する。
【００５５】
このときシンボル制御処理部１０４にあっては、火災発生区域に対応した直上階及び直下階の俯瞰地図における火災発生対応区域につき、その枠線を橙色に表示して点滅させる制御を行う。
【００５６】
合成レイヤ１０２に生成された出火階、直上階及び直下階の俯瞰地図７２，７４，７６は、表示画面７０に合成画像１０５として表示される。
【００５７】
図５は本実施形態による防災表示処理を示したフローチャートである。図１の防災監視システムに設けている防災表示装置１２は、通常の監視状態にあっては、ステップＳ１で液晶ディスプレイ２８に例えばスクリーンセーバーなどの待機画面を表示した待機表示動作を行っている。
【００５８】
もちろん、待機表示動作の状態でオペレータがキーボードなどのエンター動作やマウス操作を行うと、待機表示動作の画面から初期画面であるメニュー画面に切り替わり、メニュー画面に切り替わった中から適宜のメニューを選択して、ハードディスクドライブ５６に格納されている各種の情報について表示を行うことができる。
【００５９】
一方、ステップＳ１の待機動作表示の状態で防災受信盤１０より火災検出情報が送られ、ステップＳ２で火災発報を判別すると、ステップＳ３に進み、火災発報に対し３Ｄ画像表示のモードが設定されているか否か判別する。
【００６０】
ステップＳ３で３Ｄ画像表示モードが設定されていることが判別されると、ステップＳ４に進み、出火階の俯瞰地図をデータベースから読み出して表示メモリ上に配置する。
【００６１】
続いてステップＳ５で直上階の俯瞰地図をデータベース４２から読み出して画像メモリに配置する。更にステップＳ６で直下階の俯瞰地図を読み出して画像メモリ上に配置する。続いてステップＳ７で出火階、直上階及び直下階の階別順の合成画像を液晶ディスプレイ２８の表示画面７０上に表示する。
【００６２】
続いてステップＳ８で出火階の俯瞰地図の中の火災を検出した感知器シンボルを監視時の青色から赤色に変化させ、赤色を点滅させる。次にステップＳ９で出火階の俯瞰地図における火災を検知した感知器シンボルを含む火災発生区域を示す枠線を赤色枠線で表示して点滅表示させる。
【００６３】
続いてステップＳ１０で直上階と直下階の俯瞰地図における火災発生区域に対応した火災発生対応区域を示す枠線を橙色で表示して点滅表示させる。続いてステップＳ１１で復旧の有無を判別しており、復旧があるまで出火階、直上階及び直下階の俯瞰地図表示を実施し、復旧を判別するとステップＳ１の待機表示動作に戻る。
【００６４】
一方、火災発報を判別して、ステップＳ３で３Ｄ画像表示モードが選択されていなかった場合には、ステップＳ１２に進み、出火階の平面地図の表示処理を行い、これは従来の表示処理と同じであり、必要があれば、分割画面表示の操作に基づき、図１４に示したような４分割した画面の３箇所の位置に、出火階、直上階及び直下階の平面地図を表示することができる。
【００６５】
図６は本実施形態の俯瞰地図に対応した平面地図を示した説明図であり、図６（Ａ）が１０階の平面地図１０６であり、図６（Ｂ）が１１階の平面地図１１０である。
【００６６】
図６（Ａ）の１０階の平面地図１０６にあっては、１０階レイアウト１０６−１に示すように１階〜９階までと同じレイアウトとなっているが、図６（Ｂ）の１１階の平面地図１１０にあっては、最上階であることから、１１階レイアウト１１０−１に示すように床面積が小さくなっている。
【００６７】
この図６に示すような平面地図１０６，１１０に対応した俯瞰地図をもつ場合、例えば図６（Ａ）の１０階が出火階となった場合、図７の表示画面７０に示すような出火階、直上階及び直下階の俯瞰地図７２，７４，７６の表示が行われる。
【００６８】
図７の表示画面７０にあっては、直上階となる俯瞰地図７４については床面積の小さい１１階レイアウト１１０−１の俯瞰地図となっているため、出火階の俯瞰地図７２及び直下階の俯瞰地図７６に比べ狭い床面積の俯瞰地図７４の表示となり、表示画面に大きな空き領域を生じている。
【００６９】
そこで本実施形態にあっては、図８（Ａ）の１０階の平面地図１０６については図６（Ａ）と同じであるが、図６（Ｂ）の１１階の平面地図１１０については、これを拡大した図８（Ｂ）に示す１１階拡大レイアウト１１０−２を持つ平面地図１１０を準備し、拡大レイアウト１１０−２に対応した俯瞰地図を予め作成し、これによって、１０階が出火階となった場合には図９の表示画面７０に示すような出火階、直上階及び直下階の俯瞰地図７２，７４，７６の表示とする。
【００７０】
このため床面積の少ない１１階の俯瞰地図７４については、図８（Ｂ）に示した１１階拡大レイアウト１１０−２に対応した俯瞰地図が表示されることで、表示領域に空きスペースを生ずることなく、床面積は異なっても出火階、直上階及び直下階７２，７４，７６をほぼ同サイズで画面表示することができる。
【００７１】
図１０は図９の表示画面７０の表示につき、火災発生時の表示状態を示した説明図である。図１０において、出火階の俯瞰地図７２において火災感知器シンボル１０８に対応する火災感知器が火災を検出したとすると、この感知器シンボル１０８を監視時の青色から赤色に変化させ、赤色点滅させる。同時に、感知器シンボル１０８を含む斜線で示す火災発生区域を囲む赤色枠線１１４を表示し、赤色枠線１１４を点滅させる。
【００７２】
一方、直上階の俯瞰地図７４については、出火階及び直下階の俯瞰地図７２，７６に対し拡大サイズによる俯瞰地図７４として表示されており、出火階の火災発生区域を示す赤色枠線１１４に対応した火災発生対応区域については、その区域を囲む橙色枠線１１６を表示して点滅させている。
【００７３】
このとき俯瞰地図７４は拡大表示されていることから、出火階の火災発生区域を示す赤色枠線１１４に対し、火災発生対応区域を示す橙色枠線１１６は拡大表示された枠線として表示され、これによって出火階と直上階の俯瞰地図７２，７４の縮尺が異なっていても、火災発生区域と火災発生対応区域の対応関係を明確且つ容易に認識することができる。画面上に拡大比率を表示すると実際の面積が分かりやすい。
【００７４】
一方、直下階の俯瞰地図７６については、出火階の俯瞰地図７２と縮尺が同じであることから、火災発生区域を示す赤色枠線１１４と同じサイズで火災対応区域を示す橙色枠線１１８を表示して点滅表示させている。
【００７５】
図１１，図１２及び図１３は、俯瞰する角度を変えて俯瞰地図を表示する本実施形態の表示画面を示した説明図である。図１１は俯瞰する角度を小さい角度に設定した状態で表示した表示画面７０であり、出火階、直上階及び直下階の俯瞰地図７２，７４，７６が浅い角度で斜め上方から見た状態で表示されており、出火階については火災発生区域８４が表示され、直上階及び直下階については火災発生対応区域８６，８８が表示されている。
【００７６】
表示画面７０の右側のメニュー欄には、前画面キー７８、次画面キー８０、３Ｄ画面キー８２に加え、更に俯瞰角アップキー１２０と俯瞰角ダウンキー１２２が設けられている。
【００７７】
図１１の表示画面７０の状態で俯瞰角アップキー１２０をマウスクリックなどにより操作すると、例えば図１２に示す表示画面７０に切り替わる。図１２の表示画面７０にあっては、出火階、直上階、直下階の俯瞰地図７２，７４，７６の俯瞰角が図１１に対し増加しており、地図内容が図１１に比べると更に分かり易くなる。
【００７８】
図１２の表示状態で俯瞰角アップキー１２０をマウスクリックなどにより操作すると、更に図１３の表示画面７０に示す表示に変化する。図１３の表示画面７０にあっては、出火階、直上階、直下階の俯瞰地図７２，７４，７６の俯瞰角が図１２に対し増加して、地図内容がより分かり易くなっている。
【００７９】
このようにして本実施形態にあっては、俯瞰角アップキー１２０または俯瞰角ダウンキー１２２を使用した操作入力に応じ、表示画面７０上に表示する出火階、直上階、直下階の俯瞰地図の上から見下ろす角度である俯瞰角を必要に応じて自由に調整することができる。
【００８０】
ここで、図１１〜図１３の俯瞰角を調整する実施形態にあっては、俯瞰角を０度とした場合には俯瞰地図７２，７４，７６のそれぞれは１本の線となり、この場合には各階が１本の線で表わされることから、画面上に建物全体の側面図を表示させるようにしてもよい。俯瞰角に応じて１階分の表示枠の高さを異ならせることができるため、俯瞰角が小さくなるほど表示する階の数を増やすなどの表示段数を変更させても良い。
【００８１】
一方、俯瞰角を最大即ち９０度とした場合には、これは平面地図を表わすこととなり、その場合には中央に表示している出火階の俯瞰地図７２に対応した平面地図の表示に切り替えればよい。
【００８２】
なお上記の実施形態にあっては、防災制御装置は防災受信盤と別に用意した装置であったが、防災受信盤の表示装置で本発明を実施するようにしてもよい。
【００８３】
また、火災発生時の直上階、直下階の火災発生対応区域の識別表示は、前述の実施形態に限らず、例えば、枠の色だけ変化させたり、区域内の色だけを変化させたりして識別表示させても良い。
【００８４】
また本発明はその目的と利点を損なうことのない適宜の変形を含み、上記の実施形態に示した数値による限定は受けない。
【図面の簡単な説明】
【００８５】
【図１】防災監視システムと共に本発明による防災表示装置の実施形態を示したブロック図
【図２】本実施形態における防災表示装置のハードウェア構成を示したブロック図
【図３】本実施形態による火災発生時の表示画面を示した説明図
【図４】本実施形態による地図データファイルから３階分の俯瞰地図を生成して表示する画像処理を示した説明図
【図５】本実施形態による防災表示処理を示したフローチャート
【図６】本実施形態の俯瞰地図に対応した平面地図を示した説明図
【図７】図６の階を含む本実施形態による俯瞰地図の表示画面を示したブロック図
【図８】図７の１１階平面地図を拡大した説明図
【図９】図８の拡大平面地図に対応した俯瞰地図を含む表示画面を示した説明図
【図１０】図９の表示画面について火災発生時の表示状態を示した説明図
【図１１】俯瞰する角度を変えて俯瞰地図を表示する本実施形態の表示画面を示した説明図
【図１２】図１１に対し俯瞰する角度を増加させた表示画面を示した説明図
【図１３】図１２に対し俯瞰する角度を更に増加させた表示画面を示した説明図
【図１４】従来の画面分割により出火階、直上階及び直下階の平面地図を表示する表示画面を示した説明図
【符号の説明】
【００８６】
１０：防災受信盤
１１：伝送路
１２：防災表示装置
１４，１５：中継器
１６，２０：アナログ煙感知器
１７：防排煙ダンパ
１８：地区音響装置
１９：ラッチリレーズ
２１：防火戸
２２：アナログ熱感知器
２４：光電式分離型煙感知器
２６：コントローラ
２８：ディスプレイ
３０：キーボード
３２：マウス
３４：プリンタ
３６：ＩＴＶカメラ
３８：スピーカ
４０：表示制御部
４２：データベース
４４：シンボル処理部
７０：表示画面
７２，７４，７６：俯瞰地図
７８：前画面キー
８０：次画面キー
８２：３Ｄ画面キー
８４：火災発生区域
８６，８８：火災発生対応区域
９０：地図データファイル
９２：ヘッダ
９４：地図データ
９６：シンボルデータ群
９８：レイアウトレイヤ
１００：シンボルレイヤ
１０２：合成レイヤ
１０４：シンボル制御処理
１０５：合成画像
１０６，１１０：平面地図
１０６−１：１０階レイアウト
１０８：感知器シンボル
１１０−１：１１階レイアウト
１１０−２：１１階拡大レイアウト
１１２：ダンパシンボル
１１４：赤色枠線
１１６，１１８：橙色枠線
１２０：俯瞰角アップキー
１２２：俯瞰角ダウンキー
【図１】
0005313481.tif 000002
【図２】
0005313481.tif 000003
【図３】
0005313481.tif 000004
【図４】
0005313481.tif 000005
【図５】
0005313481.tif 000006
【図６】
0005313481.tif 000007
【図７】
0005313481.tif 000008
【図８】
0005313481.tif 000009
【図９】
0005313481.tif 000010
【図１０】
0005313481.tif 000011
【図１１】
0005313481.tif 000012
【図１２】
0005313481.tif 000013
【図１３】
0005313481.tif 000014
【図１４】
0005313481.tif 000015